(57)【特許請求の範囲】
【請求項１】
複数の室内（2〜6）それぞれを調湿する調湿装置であって、
空気と液体吸収剤との間で水分を授受し、水分の授受後の空気を室内に供給可能な少なくとも１つの給気側モジュール（11a〜11c）と、
空気と上記液体吸収剤との間で水分を授受し、水分の授受後の空気を室外に排出可能な少なくとも１つの排気側モジュール（12a,12b）と、
少なくとも１つの上記給気側モジュール（11a〜11c）及び少なくとも１つの上記排気側モジュール（12a,12b）を繋いでおり、内部を上記液体吸収剤が流れる吸収剤用配管（13）と、
上記吸収剤用配管（13）に接続されるとともに上記給気側モジュール（11a〜11c）及び上記排気側モジュール（12a,12b）それぞれに対応して設けられ、上記液体吸収剤の流量を調節する流量調節機構（14a〜14e）と、
を備え、
上記給気側モジュール（11a〜11c）及び上記排気側モジュール（12a,12b）のいずれかが、複数の上記室内（2〜6）それぞれに配置され、
各上記流量調節機構（14a〜14e）は、対応する上記給気側モジュール（11a〜11c）が上記室内（2〜4）に供給するべき空気量または対応する上記排気側モジュール（12a,12b）が上記室外に排出するべき空気量に応じて、対応する上記給気側モジュール（11a〜11c）または上記排気側モジュール（12a,12b）に流入する上記液体吸収剤の流量を調節する
ことを特徴とする調湿装置。
【請求項２】
請求項１において、
少なくとも１つの上記給気側モジュール（11a〜11c）及び少なくとも１つの上記排気側モジュール（12a,12b）のうち、室内（2〜4）への空気（SA）の供給を停止するモジュール又は室外への空気（EA）の排出を停止するモジュールがある場合、そのモジュールに対応する上記流量調節機構（14a〜14e）は、該モジュールへの上記液体吸収剤の流入を停止させる
ことを特徴とする調湿装置。
【請求項３】
請求項１または請求項２において、
少なくとも１つの上記給気側モジュール（11a〜11c）のうち空気（SA）を室内（2〜4）に供給するモジュールがある場合、少なくとも１つの上記排気側モジュール（12a,12b）は空気（EA）を室外に排出する
ことを特徴とする調湿装置。
【請求項４】
請求項１から請求項３のいずれか１項において、
上記排気側モジュール（12a,12b）は複数であって、
上記吸収剤用配管（13）に接続されており、上記給気側モジュール（11a〜11c）から流出した上記液体吸収剤が各上記排気側モジュール（12a,12b）に流入するように上記液体吸収剤を流す第１ポンプ（15a）と、
を更に備える
ことを特徴とする調湿装置。
【請求項５】
請求項１から請求項４のいずれか１項において、
上記給気側モジュール（11a〜11c）は複数であって、
上記吸収剤用配管（13）に接続されており、上記排気側モジュール（12a,12b）から流出した上記液体吸収剤が各上記給気側モジュール（11a〜11c）に流入するように上記液体吸収剤を流す第２ポンプ（15b）と、
を更に備える
ことを特徴とする調湿装置。
【発明の詳細な説明】
【技術分野】
【０００１】
本発明は、調湿装置に関するものである。
【背景技術】
【０００２】
省エネを促進するために、例えば特許文献１に示されるような全熱交換器が提案されている。全熱交換器は、室内空気と室外空気とが混ざることなく、室内空気と室外空気との間で熱交換を行わせて空気を調湿するものであって、室内の換気に利用される。全熱交換器が換気に利用される際、全熱交換器にて熱交換された後の室内空気は室外に排出され、熱交換された後の室外空気は室内に供給される。
【先行技術文献】
【特許文献】
【０００３】
【特許文献１】特開２０１４−１３４３２４号公報
【発明の概要】
【発明が解決しようとする課題】
【０００４】
複数の室内を含む建物において、全熱交換器を用いて各室内を調湿及び換気する場合、各室内の空気と室外空気とを、ダクトを介して全熱交換器の設置場所１カ所に集める必要がある。更に、熱交換後の室内空気を室外に排出し且つ熱交換後の室外空気を各室内に供給するためには、全熱交換器に空気を集めるためのダクトとは別のダクトも必要となる。すると、全熱交換器を用いて複数の室内を換気する際、建物内には複数本のダクトを配設することになる。空気搬送用のダクトは、直径が比較的大きいため、建物内では、ダクトの配設のために、比較的広いスペースが利用されることになる。
【０００５】
しかし、スペースの制約により、ダクトが配設できず、従って全熱交換器を用いた調湿装置の設置を断念せざるを得ない建物も存在する。
【０００６】
また、ダクトを配設するスペースがあるとしても、複数本のダクトを建物内に配設するために施工者の手間がかかり、その分工事費が高くなってしまう。
【０００７】
本発明は、かかる点に鑑みてなされたものであり、その目的は、設置場所の制約をさほど受けず且つ施工がし易い全熱交換器利用型の調湿装置を提供することである。
【課題を解決するための手段】
【０００８】
第１の発明は、複数の室内（2〜6）それぞれを調湿する調湿装置であって、空気と液体吸収剤との間で水分を授受し、水分の授受後の空気を室内に供給可能な少なくとも１つの給気側モジュール（11a〜11c）と、空気と上記液体吸収剤との間で水分を授受し、水分の授受後の空気を室外に排出可能な少なくとも１つの排気側モジュール（12a,12b）と、少なくとも１つの上記給気側モジュール（11a〜11c）及び少なくとも１つの上記排気側モジュール（12a,12b）を繋いでおり、内部を上記液体吸収剤が流れる吸収剤用配管（13）と、上記吸収剤用配管（13）に接続されるとともに上記給気側モジュール（11a〜11c）及び上記排気側モジュール（12a,12b）それぞれに対応して設けられ、上記液体吸収剤の流量を調節する流量調節機構（14a〜14e）と、を備え、上記給気側モジュール（11a〜11c）及び上記排気側モジュール（12a,12b）のいずれかが、複数の上記室内（2〜6）それぞれに配置され、各上記流量調節機構（14a〜14e）は、対応する上記給気側モジュール（11a〜11c）が上記室内（2〜4）に供給するべき空気量または対応する上記排気側モジュール（12a,12b）が上記室外に排出するべき空気量に応じて、対応する上記給気側モジュール（11a〜11c）または上記排気側モジュール（12a,12b）に流入する上記液体吸収剤の流量を調節することを特徴とする調湿装置である。
【０００９】
ここでは、複数の室内（2〜6）それぞれには、互いに吸収剤用配管（13）で接続された給気側モジュール（11a〜11c）または排気側モジュール（12a,12b）が配置されている。給気側モジュール（11a〜11c）及び排気側モジュール（12a,12b）は、設置された位置にて空気を取り込み、液体吸収剤によって当該空気を調湿する。即ち、液体吸収剤を媒体として、各モジュール（11a〜11c,12a,12b）が吸い込んだ空気の調湿が行われる。そのため、各室内（2〜6）の空気（RA）及び室外の空気（OA）を一カ所に空気を集めるためのダクト、及び、調湿後の空気（SA）を各室内（2〜6）に送るためのダクトを配設せずに済む。なお、吸収剤用配管（13）は、一般的にはダクトよりも径が小さい。従って、ダクトを含む調湿装置よりも、設置場所の制約が緩和される。また、ダクトを配設する必要がないため、ダクトを含む調湿装置よりも、施工がし易くなる。
【００１０】
また、各モジュール（11a〜11c,12a,12b）への液体吸収剤の流入量の調節によって、各モジュール（11a〜11c,12a,12b）の動作を制御することが可能となる。例えば、給気側モジュール（11a〜11c）への液体吸収剤の流入量を増やすことで、室内（2〜4）への空気の供給量を多くしたり、給気側モジュール（11a〜11c）への液体吸収剤の流入量を減らすことで、室内（2〜4）への空気の供給量を少なくしたりすることができる。
【００１１】
第２の発明は、第１の発明において、少なくとも１つの上記給気側モジュール（11a〜11c）及び少なくとも１つの上記排気側モジュール（12a,12b）のうち、室内（2〜4）への空気（SA）の供給を停止するモジュール又は室外への空気（EA）の排出を停止するモジュールがある場合、そのモジュールに対応する上記流量調節機構（14a〜14e）は、該モジュールへの上記液体吸収剤の流入を停止させることを特徴とする調湿装置である。
【００１２】
これにより、動作を行わないモジュール（11a〜11c,12a,12b）に、無駄に液体吸収剤が流れることを防ぐことができる。
【００１３】
第３の発明は、第１の発明または第２の発明において、少なくとも１つの上記給気側モジュール（11a〜11c）のうち空気（SA）を室内（2〜4）に供給するモジュールがある場合、少なくとも１つの上記排気側モジュール（12a,12b）は空気（EA）を室外に排出することを特徴とする調湿装置である。
【００１４】
これにより、給気側モジュール（11a〜11c）は、室内（2〜4）に空気（SA）を供給する際、確実に全熱回収を行うことができる。
【００１５】
第４の発明は、第１の発明から第３の発明のいずれか１つにおいて、上記排気側モジュール（12a,12b）は複数であって、上記吸収剤用配管（13）に接続されており、上記給気側モジュール（11a〜11c）から流出した上記液体吸収剤が各上記排気側モジュール（12a,12b）に流入するように上記液体吸収剤を流す第１ポンプ（15a）と、を更に備えることを特徴とする調湿装置である。
【００１６】
これにより、液体吸収剤は、給気側モジュール（11a〜11c）から排気側モジュール（12a,12b）へと確実に送られる。
【００１７】
第５の発明は、第１の発明から第４の発明のいずれか１つにおいて、上記給気側モジュール（11a〜11c）は複数であって、上記吸収剤用配管（13）に接続されており、上記排気側モジュール（12a,12b）から流出した上記液体吸収剤が各上記給気側モジュール（11a〜11c）に流入するように上記液体吸収剤を流す第２ポンプ（15b）と、を更に備えることを特徴とする調湿装置である。
【００１８】
これにより、液体吸収剤は、排気側モジュール（12a,12b）から給気側モジュール（11a〜11c）へと確実に送られる。
【発明の効果】
【００１９】
本発明によれば、ダクトを含む調湿装置よりも、設置場所の制約が緩和されると共に施工がし易くなる。また、各モジュール（11a〜11c,12a,12b）への液体吸収剤の流入量の調節によって、各モジュール（11a〜11c,12a,12b）の動作を制御することが可能となる。
【００２０】
また、上記第２の発明によれば、動作を行わないモジュール（11a〜11c,12a,12b）に、無駄に液体吸収剤が流れることを防ぐことができる。
【００２１】
また、上記第３の発明によれば、確実に全熱回収を行うことができる。
【００２２】
また、上記第４の発明によれば、液体吸収剤は、給気側モジュール（11a〜11c）から排気側モジュール（12a,12b）へと確実に送られる。
【００２３】
また、上記第５の発明によれば、液体吸収剤は、排気側モジュール（12a,12b）から給気側モジュール（11a〜11c）へと確実に送られる。
【図面の簡単な説明】
【００２４】
【図１】図１は、本実施形態に係る調湿装置を建物に設置した状態を示す図である。
【図２】図２は、図１に係る建物の間取りと、各室内に設置されたモジュールで構成された吸収剤回路を概略的に示す図である。
【図３】図３は、給気側モジュール及び排気側モジュールの構成を概略的に示す図である。
【図４】図４は、図２において、動作を停止しているモジュールが存在する状態を表した図である。
【発明を実施するための形態】
【００２５】
以下、本発明の実施形態を図面に基づいて詳細に説明する。なお、以下の実施形態は、本質的に好ましい例示であって、本発明、その適用物、あるいはその用途の範囲を制限することを意図するものではない。
≪実施形態１≫
＜概要＞
図１及び図２に示すように、本実施形態に係る調湿装置（10）は、複数の室内（2,3,4,5,6）を有する１つの建物（1）内に設置されている。特に、調湿装置（10）は、給気系と排気系とが１つの筐体内に収納されている一体型ではなく、別々に設けられた給気系のモジュールと排気系のモジュールとを有する分離型である。本実施形態では、給気側モジュール（11a,11b,11c）及び排気側モジュール（12a,12b）のいずれかが各室内（2〜6）の天井や壁面に設置されており、これによって調湿装置（10）は、各室内（2〜6）の湿度を調節することができる。
【００２６】
なお、図２では、建物（1）が、３つの住居（2,3,4）、１つの洗面所（5）、１つの廊下（6）を複数の室内として含む場合を例示する。
【００２７】
＜構成＞
調湿装置（10）は、複数の給気側モジュール（11a〜11c）と、複数の排気側モジュール（12a,12b）と、これらのモジュール（11a〜11c,12a,12b）同士を繋ぐ吸収剤用配管（13）とを備える。吸収剤用配管（13）の内部には、液体吸収剤が流れている。
【００２８】
更に、調湿装置（10）は、各モジュール（11a〜11c,12a,12b）に対し１つずつ対応するようにして設けられた流量調節弁（14a,14b,14c,14d,14e）（流量調節機構に相当）と、２つのポンプ（15a,15b）とを有する。給気側モジュール（11a〜11c）、排気側モジュール（12a,12b）、流量調節弁（14a〜14e）及びポンプ（15a,15b）は、吸収剤用配管（13）に接続されており、これによって、液体吸収剤が循環する吸収剤回路（18）が形成されている（図２参照）。
【００２９】
−給気側モジュール及び排気側モジュール−
本実施形態に係る給気側モジュール（11a〜11c）及び排気側モジュール（12a,12b）は、液膜式の調湿モジュールにて構成されている。なお、給気側モジュール（11a〜11c）及び排気側モジュール（12a,12b）は、同様の構成である。
【００３０】
図３に示すように、給気側モジュール（11a〜11c）及び排気側モジュール（12a,12b）は、主として、２つのヘッダ部（22,23）と、両ヘッダ部（22,23）の間に介設される複数の調湿配管（24）とを有する。各ヘッダ部（22,23）は、吸収剤用配管（13）と接続されており、これによって吸収剤回路（18）と繋がっている。両ヘッダ部（22,23）の間には、調湿配管（24）の周囲を通過する空気通路（25）が複数形成される。
【００３１】
各調湿配管（24）は、図３の上下方向、つまりは一方のヘッダ部（22）から他方のヘッダ部（23）にかけて延びており、且つ図３の点線矢印で示す空気の流れ方向に沿って延びているが、図３の幅（W）（図３の左右方向）は比較的狭い。つまり、調湿配管（24）は扁平形状である。調湿配管（24）の内部では、液体吸収剤が実線矢印の方向、つまりは一方のヘッダ部（22）から他方のヘッダ部（23）へと流れる。なお、図３では、複数の調湿配管（24）が、液体吸収剤の流れ方向及び空気の流れ方向に垂直な方向（幅（W）方向である図３の左右方向）に沿って、所定距離を隔てて積層されている場合を例示している。積層方向の端に位置する調湿配管（24）の隣には、所定距離を隔てて壁板（21a,21b）が位置している。壁板（21a,21b）は、樹脂等で構成され、両ヘッダ部（22,23）の間において調湿配管（24）と概ね平行となるように介設されている。
【００３２】
調湿配管（24）は、その外周面が透湿膜（24a）で構成され、その内部に液体吸収剤が流れる吸収剤通路（26）を形成している。透湿膜（24a）は、液体吸収剤を透過させずに水蒸気を透過させる膜である。透湿膜（24a）としては、例えばＰＴＦＥ（ポリテトラフルオロエチレン、四フッ化エチレン樹脂）等のフッ素樹脂から成る疎水性多孔膜を用いることができる。調湿配管（24）は、空気通路（25）を流れる空気と吸収剤通路（26）を流れる液体吸収剤との間で水分の授受を行う。
【００３３】
特に、上記構成を有する給気側モジュール（11a〜11c）は、図２に示すように、空気の給気対象となる室内（2〜4）それぞれに１台ずつ設置されている。給気側モジュール（11a〜11c）は、室外空気（OA）を吸い込むと、これが空気通路（25）を流れる間に室外空気（OA）と液体吸収剤との間での水分の授受を行わせて、当該空気（OA）を除湿または加湿する。給気側モジュール（11a〜11c）は、水分の授受後の空気、つまりは除湿または加湿後の空気（SA）を、当該モジュール（11a〜11c）が設置されている室内（2〜4）に供給する（給気動作）ことが可能となっている。
【００３４】
上記構成を有する排気側モジュール（12a,12b）は、空気の排気対象となる室内（5,6）それぞれに１台ずつ設置されている。排気側モジュール（12a,12b）は、室内空気（RA）を吸い込むと、これが空気通路（25）を流れる間に室内空気（RA）と液体吸収剤との間で水分の授受を行わせて、当該空気（RA）を除湿または加湿する。排気側モジュール（12a,12b）は、水分の授受後の空気（EA）を室外に排出する（排気動作）ことが可能となっている。
【００３５】
なお、本実施形態の調湿装置（10）は、給気側モジュール（11a〜11c）のみまた排出側モジュール（12a,12b）のみが動作を行っている状態は採らない。１台でも給気側モジュール（11a〜11c）が除湿動作または加湿動作を行っている間、動作を行っている少なくとも１台の排気側モジュール（12a,12b）が存在する。つまり、複数の給気側モジュール（11a〜11c）のうち、空気（SA）を室内（2,3,4）に供給しているモジュールがある場合には、複数の排気側モジュール（12a,12b）のうちの任意のモジュールは、空気（EA）を室外に排出している。これは、吸収剤回路（18）の構成上、任意のモジュールが除湿動作や加湿動作を行うためには、他のモジュールが再生動作を行うことが必要のためである。
【００３６】
−吸収剤用配管−
吸収剤用配管（13）は、一般的なダクト（空気用配管）よりも小径であって、例えばダクト径の約５分の１の直径を有する。吸収剤用配管（13）は、図２に示すように、各給気側モジュール（11a〜11c）から流出した液体吸収剤を各排気側モジュール（12a,12b）に流入させるための第１配管（13a）と、各排気側モジュール（12a,12b）から流出した液体吸収剤を各給気側モジュール（11a〜11c）に流入させるための第２配管（13b）とを有する。
【００３７】
−流量調節弁−
流量調節弁（14a〜14e）は、吸収剤回路（18）を流れる液体吸収剤の流量を調節するためのものであって、開状態または閉状態のいずれかを採り得る電磁弁で構成されている。図２に示すように、各流量調節弁（14a〜14e）は、吸収剤用配管（13）における第１配管（13a）及び第２配管（13b）のうち、各給気側モジュール（11a〜11c）及び各排気側モジュール（12a,12b）に液体吸収剤が流入する側に設けられている。具体的に、各給気側モジュール（11a〜11c）に対応する流量調節弁（14a〜14c）は、第２配管（13b）に設けられ、各排気側モジュール（12a,12b）に対応する流量調節弁（14d,14e）は、第１配管（13a）に設けられている。
【００３８】
特に、各流量調節弁（14a〜14c）は、対応する各給気側モジュール（11a〜11c）が室内（2〜4）に供給するべき空気（SA）の量（給気量）に応じて、対応する各給気側モジュール（11a〜11c）に流入する液体吸収剤の流量を調節する。各流量調節弁（14d,14e）は、対応する各排気側モジュール（12a,12b）が室外に排気するべき空気（EA）の量（排気量）に応じて、対応する各排気側モジュール（12a,12b）に流入する液体吸収剤の流量を調節する。
【００３９】
例えば、図４に示すように、給気側モジュール（11a〜11c）のうち給気を行うモジュール（11a,11b）がある場合（給気量が存在する場合）、当該モジュール（11a,11b）に対応する流量調節弁（14a,14b）それぞれは開状態を採る。給気側モジュール（11a〜11c）のうち給気を停止するモジュール（11c）がある場合（給気量がゼロの場合）、当該モジュール（11c）に対応する流量調節弁（14c）は閉状態を採る。図４には図示していないが、同様に、排気側モジュール（12a,12b）のうち排気を行うモジュールがある場合（排気量が存在する場合）、当該モジュールに対応する流量調節弁（14d,14e）は開状態を採る。排気側モジュール（12a,12b）のうち排気を行わないモジュールがある場合（排気量がゼロの場合）、当該モジュールに対応する流量調節弁（14d,14e）は閉状態を採る。
【００４０】
これにより、開状態の流量調節弁（14a〜14e）は、対応するモジュール（11a〜11c,12a,12b）に液体吸収剤を流入させるため、当該モジュール（11a〜11c,12a,12b）は、空気の除湿や加湿を行うことができる。閉状態の流量調節弁（14a〜14e）は、対応するモジュール（11a〜11c,12a,12b）への液体吸収剤の流入を停止させため、当該モジュール（11a〜11c,12a,12b）は、空気の除湿や加湿を行わなくなる。
【００４１】
上述した各流量調節弁（14a〜14e）の採る開状態または閉状態の制御は、図示しない制御部によって行われる。
【００４２】
なお、流量調節弁（14a〜14e）は、電磁弁に代えて、開度の大小が制御できる電動弁等によって構成されても良い。例えば、液体吸収剤の流入量が増えたモジュール（11a〜11c,12a,12b）では、除湿能力または加湿能力が高まり、給気量または排気量は増加する。逆に、液体吸収剤の流入量が減少したモジュール（11a〜11c,12a,12b）では、除湿能力または加湿能力が弱まり、給気量または排気量は減少する。それ故、電動弁で構成された流量調節弁（14a〜14e）の開度の大小を制御することで、モジュール（11a〜11c,12a,12b）毎の除湿能力または加湿能力の大小を制御することができる。
【００４３】
−ポンプ−
ポンプ（15a,15b）は、第１配管（13a）に接続された第１ポンプ（15a）と、第２配管（13b）に接続された第２ポンプ（15b）とを有する。
【００４４】
具体的に、図２に示すように、第１ポンプ（15a）は、給気側モジュール（11a〜11c）から流出した液体吸収剤が第１配管（13a）にて合流した後、合流後の液体吸収剤が各排気側モジュール（12a,12b）に分配して流れるように、第１配管（13a）における排気側モジュール（12a,12b）側に吐出する。第２ポンプ（15b）は、排気側モジュール（12a,12b）から流出した液体吸収剤が第２配管（13b）にて合流した後、合流後の液体吸収剤が各給気側モジュール（11a〜11c）に分配して流れるように、第２配管（13b）における給気側モジュール（11a〜11c）側に吐出する。
【００４５】
＜吸収剤回路の動作＞
調湿装置（10）は、各室内（2〜6）の給気側モジュール（11a〜11c）及び排気側モジュール（12a,12b）を用いて、室外の空気（OA）を調湿して室内（2〜4）へ供給するのと同時に室内（5,6）の空気（RA）を室外へ排出する、いわゆる換気動作を行う。室内（2〜4）に供給される空気（SA）に着目すると、上記換気動作では、当該空気（SA）が除湿された空気である除湿運転、当該空気（SA）が加湿された空気である加湿運転のいずれかが行われる。
【００４６】
以下では、除湿運転及び加湿運転それぞれでの吸収剤回路（18）の動作について、図２を用いて説明する。なお、説明の便宜上、流量調節弁（14a〜14e）は全て開状態である場合を例に採る。
【００４７】
−除湿運転−
この場合、第１ポンプ（15a）及び第２ポンプ（15b）は運転し、液体吸収剤は、吸収剤回路（18）内を循環する。
【００４８】
第２ポンプ（15b）を流出した液体吸収剤は、吸収剤用配管（13）の第２配管（13b）及び流量調節弁（14a〜14c）を介して各給気側モジュール（11a〜11c）に流入する。流入した液体吸収剤は、各給気側モジュール（11a〜11c）の調湿配管（24）を流れる。その際、給気側モジュール（11a〜11c）では、室外から吸い込まれて空気通路（25）を流れる空気（OA）中の水分が、調湿配管（24）の透湿膜（24a）を介して液体吸収剤へ吸収される。液体吸収剤へ水分を付与して除湿された空気（SA）は、対応する給気側モジュール（11a〜11c）の設置場所である室内（2〜4）それぞれに供給される。
【００４９】
一方、給気側モジュール（11a〜11c）の調湿配管（24）にて空気から吸湿した液体吸収剤は、低濃度の状態となっている。この状態の液体吸収剤は、各給気側モジュール（11a〜11c）から流出すると、第１配管（13a）を流れ、途中で合流する。合流した液体吸収剤は、第１ポンプ（15a）を流れた後、各排出側モジュール（12a,12b）に向けて分流される。分流された液体吸収剤は、流量調節弁（14d,14e）を介して各排気側モジュール（12a,12b）に流入する。流入した液体吸収剤は、各排気側モジュール（12a,12b）の調湿配管（24）を流れる。その際、排気側モジュール（12a,12b）では、液体吸収剤中の水分が、室内（5,6）から吸い込まれて空気通路（25）を流れる空気（RA）に放出される。液体吸収剤から放湿された空気（EA）は、室外へと排出される。
【００５０】
排気側モジュール（12a,12b）の調湿配管（24）にて空気に水分を放出した液体吸収剤は、高濃度の状態となっている。この状態の液体吸収剤は、各排気側モジュール（12a,12b）から流出すると、第２配管（13b）にて合流し、第２ポンプ（15b）を流れる。その後は、各給気側モジュール（11a〜11c）に流入する動作以降が繰り返される。
【００５１】
−加湿運転−
この場合、第１ポンプ（15a）及び第２ポンプ（15b）は運転し、液体吸収剤は、吸収剤回路（18）内を循環する。吸収剤回路（18）内における液体吸収剤の循環方向は、除湿運転と同様である。
【００５２】
第２ポンプ（15b）を流出した液体吸収剤は、吸収剤用配管（13）の第２配管（13b）及び流量調節弁（14a〜14c）を介して各給気側モジュール（11a〜11c）に流入する。流入した液体吸収剤は、各給気側モジュール（11a〜11c）の調湿配管（24）を流れる。その際、給気側モジュール（11a〜11c）では、液体吸収剤中の水分が、室外から吸い込まれて空気通路（25）を流れる空気（OA）に放出される。液体吸収剤から放湿されて加湿された空気（SA）は、対応する給気側モジュール（11a〜11c）の設置場所である室内（2〜4）それぞれに供給される。
【００５３】
一方、給気側モジュール（11a〜11c）の調湿配管（24）にて水分を放出した液体吸収剤は、高濃度の状態となっている。この状態の液体吸収剤は、各給気側モジュール（11a〜11c）から流出すると、第１配管（13a）を流れ、途中で合流する。合流した液体吸収剤は、第１ポンプ（15a）を流れた後、各排出側モジュール（12a,12b）に向けて分流される。分流された液体吸収剤は、流量調節弁（14d,14e）を介して各排気側モジュール（12a,12b）に流入する。流入した液体吸収剤は、各排気側モジュール（12a,12b）の調湿配管（24）を流れる。その際、排気側モジュール（12a,12b）では、室内（5,6）から吸い込まれて空気通路（25）を流れる空気（RA）中の水分が、調湿配管（24）の透湿膜（24a）を介して液体吸収剤へ吸収される。液体吸収剤へ水分を付与した空気（EA）は、室外に排出される。
【００５４】
排気側モジュール（12a,12b）の調湿配管（24）にて空気から吸湿した液体吸収剤は、低濃度の状態となっている。この状態の液体吸収剤は、各排気側モジュール（12a,12b）から流出すると、第２配管（13b）にて合流し、第２ポンプ（15b）を流れる。その後は、各給気側モジュール（11a〜11c）に流入する動作以降が繰り返される。
【００５５】
＜効果＞
本実施形態では、複数の室内（2〜6）それぞれには、吸収剤用配管（13）で接続された給気側モジュール（11a〜11c）または排気側モジュール（12a,12b）が配置されている。給気側モジュール（11a〜11c）及び排気側モジュール（12a,12b）は、設置された位置にて空気を取り込み、液体吸収剤によって当該空気を調湿する。即ち、液体吸収剤を媒体として、各モジュール（11a〜11c,12a,12b）が吸い込んだ空気の調湿が行われる。そのため、各室内（2〜6）の空気（RA）及び室外の空気（OA）を一カ所に空気を集めるためのダクト、及び、調湿後の空気（SA）を各室内（2〜6）に送るためのダクトを配設せずに済む。なお、吸収剤用配管（13）は、一般的にはダクトよりも径が小さい。従って、ダクトを含む調湿装置よりも、設置場所の制約が緩和される。また、ダクトを配設する必要がないため、ダクトを含む調湿装置よりも、施工がし易くなる。
【００５６】
また、吸収剤用配管（13）には、各モジュール（11a〜11c,12a,12b）に対応して液体吸収剤の流量調節弁（14a〜14e）が設けられている。流量調節弁（14a〜14e）は、対応する給気側モジュール（11a〜11c）が室内（2〜4）に供給するべき空気量、または、対応する排気側モジュール（12a,12b）が上記室外に排出するべき空気量に応じて、対応するモジュール（11a〜11c,12a,12b）に流入する液体吸収剤の流量を調節する。つまり、各モジュール（11a〜11c,12a,12b）への液体吸収剤の流入量の調節によって、各モジュール（11a〜11c,12a,12b）の動作を制御することが可能となる。
【００５７】
特に、複数のモジュール（11a〜11c,12a,12b）のうち、室内（2〜4）への空気（SA）の供給を停止する給気側モジュール（11a〜11c）又は室外への空気（EA）の排出を停止する排気側モジュール（12a,12b）がある場合、そのモジュールに対応する流量調節弁（14a〜14e）は、該モジュールへの液体吸収剤の流入を停止させる。これにより、動作を行わないモジュールに、無駄に液体吸収剤が流れることを防ぐことができる。
【００５８】
また、少なくとも１つの給気側モジュール（11a〜11c）が動作する場合、少なくとも１つの排気側モジュール（12a,12b）も動作する。これにより、給気側モジュール（11a〜11c）は、室内（2〜4）に空気（SA）を供給する際、確実に全熱回収を行うことができる。
【００５９】
また、吸収剤用配管（13）には、第１ポンプ（15a）が接続されている。これにより、液体吸収剤は、給気側モジュール（11a〜11c）から排気側モジュール（12a,12b）へと確実に送られる。
【００６０】
また、吸収剤用配管（13）には、第２ポンプ（15b）が接続されている。これにより、液体吸収剤は、排気側モジュール（12a,12b）から給気側モジュール（11a〜11c）へと確実に送られる。
≪その他の実施形態≫
上記実施形態については、以下のような構成としてもよい。
【００６１】
上記給気側モジュール（11a〜11c）及び上記排気側モジュール（12a,12b）は、透湿膜（24a）を有する液膜式モジュールの構造に限定されずとも良い。
【００６２】
第１ポンプ（15a）及び第２ポンプ（15b）は、必ずしも設けられなくても良いし、いずれか一方が設けられていても良い。上述したように、各モジュール（11a〜11c,12a,12b）を液体吸収剤が流れることによって、液体吸収剤には濃度差が生じるが、この濃度差によって液体吸収剤が吸収剤回路（18）を循環できる場合があるからである。
【００６３】
給気側モジュール（11a〜11c）及び排気側モジュール（12a,12b）の数は、上記実施形態に限定されず、いずれのモジュールも少なくとも１つ設けられていれば良い。給気側モジュール（11a〜11c）の数が排気側モジュール（12a,12b）の数よりも多かったり、またはその逆であってもよい。
【００６４】
流量調節弁（14a〜14e）は、必ずしも各モジュール（11a〜11c,12a,12b）に対応して設けられなくても良い。例えば、流量調節弁（14a〜14e）は、少なくとも１つのモジュール（11a〜11c,12a,12b）に対応して設けられていてもよい。また、流量調節弁（14a〜14e）の設置位置は、各モジュール（11a〜11c,12a,12b）の液体吸収剤の流入側ではなく、流出側であってもよい。
【００６５】
動作を行う給気側モジュール（11a〜11c）がある場合に、同時に動作を行う排気側モジュール（12a,12b）の数は、複数であってもよいし１つであってもよい。
【産業上の利用可能性】
【００６６】
以上説明したように、本発明は、複数の室内の調湿を行う調湿装置について有用である。
【符号の説明】
【００６７】
10  調湿装置
11a,11b,11c  給気側モジュール
12a,12b  排気側モジュール
13  吸収剤用配管
14a,14b,14c,14d,14e  流量調節弁（流量調節機構）
15a  第１ポンプ
15b  第２ポンプ
【図１】
0006558089.tif 000002
【図２】
0006558089.tif 000003
【図３】
0006558089.tif 000004
【図４】
0006558089.tif 000005